【手続補正書】
【提出日】平成29年4月28日(2017.4.28)
【手続補正１】
【補正対象書類名】明細書
【補正対象項目名】０３０８
【補正方法】変更
【補正の内容】
【０３０８】
実施例１〜５は、脂肪族アミン混合物であって、その総重量に対し、式（Ｉ）で表される脂肪族アミンの含有量が９０重量％以上であり、好ましくは、厳密に１００重量％未満である脂肪族アミン混合物を選択することの利点として、式（Ｉ）で表される脂肪族アミンの含有量が、その総重量に対して９０重量％未満である脂肪族アミン混合物や、それ以外の脂肪ポリアミンや、アルコキシ化アミンを選択した場合と対比し、非常に良好な中和効率が得られると共に、良好な粘度安定性を長期にわたって維持しながら、耐熱性を向上させることができることを示している。
なお、本発明は、実施の態様として以下の内容を含む。
〔態様１〕
ＡＳＴＭ  Ｄ−２８９６規格に準拠して測定される値で、５０ｍｇＫＯＨ／ｇ以上のＢＮを有するシリンダー潤滑剤であって、
少なくとも一種の潤滑剤基油と、
金属炭酸塩によって過塩基化された、アルカリ金属又はアルカリ土類金属に基づく少なくとも一種の過塩基性清浄剤と、
少なくとも一種の中性清浄剤と、
式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表される少なくとも一種の脂肪族アミンを含む、脂肪族アミン混合物と、
を含み、
前記式（Ｉ）で表される脂肪族アミンの含有量は、前記脂肪族アミン混合物の総重量に対して９０重量％以上であり、
脂肪族アミンは、ＡＳＴＭ  Ｄ−２８９６規格に準拠して測定される値で、アミン１グラムあたりの値として１５０〜６００ｍｇＫＯＨ／ｇのＢＮを有し、
該潤滑剤の総重量に対する脂肪族アミンの質量百分率は、該シリンダー潤滑剤の全ＢＮのうち、該脂肪族アミンの寄与によるＢＮが、潤滑剤１グラムあたりの値として１０ｍｇＫＯＨ／ｇ以上となるように選択され、
該潤滑剤の総重量に対する過塩基性清浄剤の質量百分率は、該シリンダー潤滑剤の全ＢＮのうち、金属炭酸塩の寄与によるＢＮが、潤滑剤１グラムあたりの値として２０ｍｇＫＯＨ／ｇ以上となるように選択されている、シリンダー潤滑剤。
〔態様２〕
態様１に記載のシリンダー潤滑剤において、前記式（Ｉ）で表される脂肪族アミンの含有量が、前記脂肪族アミン混合物の総重量に対して厳密に１００重量％未満である、シリンダー潤滑剤。
〔態様３〕
態様１または２に記載のシリンダー潤滑剤において、前記式（Ｉ）で表される脂肪族アミンの含有量が、前記脂肪族アミン混合物の総重量に対して９０〜９９．９重量％である、シリンダー潤滑剤。
〔態様４〕
態様１から３のいずれか一態様に記載のシリンダー潤滑剤において、該シリンダー潤滑剤が、ＡＳＴＭ  Ｄ−２８９６規格に準拠して測定される値で、潤滑剤１グラムあたりの値として５０〜１００ｍｇＫＯＨ／ｇのＢＮ（好ましくは潤滑剤１グラムあたりの値として６０〜９０ｍｇＫＯＨ／ｇのＢＮ）を有する、シリンダー潤滑剤。
〔態様５〕
態様１から４のいずれか一態様に記載のシリンダー潤滑剤において、前記脂肪族アミンが、ＡＳＴＭ  Ｄ−２８９６規格に準拠して測定される値で、アミン１グラムあたりの値として２５０〜６００ｍｇＫＯＨ／ｇのＢＮ（好ましくは１グラムあたりの値として３００〜５００ｍｇＫＯＨ／ｇのＢＮ）を有する、シリンダー潤滑剤。
〔態様６〕
態様１から５のいずれか一態様に記載のシリンダー潤滑剤において、該潤滑剤の総重量に対する脂肪族アミンの質量百分率は、該シリンダー潤滑剤の全ＢＮのうち、その脂肪族アミンの寄与によるＢＮが、潤滑剤１グラムあたりの値として１０〜６０ｍｇＫＯＨ／ｇ（好ましくは潤滑剤１グラムあたりの値として１０〜３０ｍｇＫＯＨ／ｇ）となるように選択されている、シリンダー潤滑剤。
〔態様７〕
態様１から６のいずれか一態様に記載のシリンダー潤滑剤において、該潤滑剤の総重量に対する脂肪族アミンの質量百分率は、該シリンダー潤滑剤の全ＢＮのうち、前記脂肪族アミンの寄与によるＢＮが１０％以上（好ましくは１０〜５０％、より好ましくは１０〜３０％）となるように選択されている、シリンダー潤滑剤。
〔態様８〕
態様１から７のいずれか一態様に記載のシリンダー潤滑剤において、該シリンダー潤滑剤の総重量に対し、前記脂肪族アミン混合物の質量百分率が、２〜１０質量％である、シリンダー潤滑剤。
〔態様９〕
態様１から８のいずれか一態様に記載のシリンダー潤滑剤において、前記Ｒ１が、炭素数１４〜２２（好ましくは炭素数１６〜２０）の直鎖状又は分岐鎖状の飽和又は不飽和のアルキル基である、シリンダー潤滑剤。
〔態様１０〕
態様１から９のいずれか一態様に記載のシリンダー潤滑剤において、Ｒ２が、水素原子である、シリンダー潤滑剤。
〔態様１１〕
態様１から１０のいずれか一態様に記載のシリンダー潤滑剤において、脂肪族アミン混合物が、
式（Ｉ）で、Ｒ１が炭素数１４〜１６の直鎖状又は分岐鎖状の飽和又は不飽和のアルキル基であり、かつ、Ｒ２が水素原子である、少なくとも一種の脂肪族アミン、
式（Ｉ）で、Ｒ１が炭素数１８以上の直鎖状又は分岐鎖状の飽和又は不飽和のアルキル基であり、かつ、Ｒ２が水素原子である、少なくとも一種の脂肪族アミン、および
式（Ｉ）で、Ｒ１が炭素数２０以上の直鎖状又は分岐鎖状の飽和又は不飽和のアルキル基であり、かつ、Ｒ２が水素原子である、少なくとも一種の脂肪族アミン、
の形で存在する、シリンダー潤滑剤。
〔態様１２〕
態様１から１０のいずれか一態様に記載のシリンダー潤滑剤において、脂肪族アミン混合物が、
式（Ｉ）で、Ｒ１が炭素数１６〜２０（好ましくは炭素数１８〜２０）の直鎖状又は分岐鎖状の不飽和アルキル基であり、かつ、Ｒ２が水素原子である、少なくとも一種の脂肪族アミン、および
式（Ｉ）で、Ｒ１が炭素数１６〜２０（好ましくは炭素数１８〜２０）の直鎖状又は分岐鎖状の飽和アルキル基であり、かつ、Ｒ２が水素原子である、少なくとも一種の脂肪族アミン、
の形で存在する、シリンダー潤滑剤。
〔態様１３〕
態様１から１２のいずれか一態様に記載のシリンダー潤滑剤において、前記過塩基性清浄剤および中性清浄剤が、カルボキシレート、スルホネート、サリチレート、ナフテネート、フェネート、およびこれら少なくとも２種類の清浄剤を組み合わせた混合清浄剤から選択される、シリンダー潤滑剤。
〔態様１４〕
態様１から１３のいずれか一態様に記載のシリンダー潤滑剤において、前記過塩基性清浄剤および中性清浄剤が、カルシウム、マグネシウム、ナトリウムおよびバリウムから選択される金属に基づく化合物である（好ましくは、カルシウムおよびマグネシウムから選択される金属に基づく化合物である）、シリンダー清浄剤。
〔態様１５〕
態様１から１４のいずれか一態様に記載のシリンダー潤滑剤において、該潤滑剤の総重量に対する過塩基性清浄剤の質量百分率は、該シリンダー潤滑剤の全ＢＮのうち、前記金属炭酸塩の寄与によるＢＮが、厳密に２０ｍｇＫＯＨ／ｇを超えるように選択されている、シリンダー潤滑剤。
〔態様１６〕
態様１から１５のいずれか一態様に記載のシリンダー潤滑剤において、該潤滑剤の総重量に対する過塩基性清浄剤の質量百分率は、該シリンダー潤滑剤の全ＢＮのうち、金属炭酸塩の寄与によるＢＮが、潤滑剤１グラムあたりの値として３０〜７０ｍｇＫＯＨ／ｇとなるように選択されている、シリンダー潤滑剤。
〔態様１７〕
態様１から１６のいずれか一態様に記載のシリンダー潤滑剤において、該潤滑剤の総重量に対する過塩基性清浄剤および中性清浄剤の質量百分率は、該シリンダー潤滑剤の全ＢＮのうち、それらの清浄剤セッケン部により付与される有機ＢＮの寄与が、潤滑剤１グラムあたりの値として１０ｍｇＫＯＨ／ｇ以上（好ましくは潤滑剤１グラムあたりの値として１０〜６０ｍｇＫＯＨ／ｇ、より好ましくは潤滑剤１グラムあたりの値として１０〜４０ｍｇＫＯＨ／ｇ）となるように選択されている、シリンダー潤滑剤。
〔態様１８〕
態様１から１７のいずれか一態様に記載のシリンダー潤滑剤において、該潤滑剤の総重量に対する過塩基性清浄剤の質量百分率が、８〜３０質量％（好ましくは１０〜３０質量％である）である、シリンダー潤滑剤。
〔態様１９〕
態様１から１８のいずれか一態様に記載のシリンダー潤滑剤において、該潤滑剤の総重量に対する中性清浄剤の質量百分率が、５〜１５質量％（好ましくは５〜１０質量％）である、シリンダー潤滑剤。
〔態様２０〕
態様１から１９のいずれか一態様に記載のシリンダー潤滑剤において、さらに、
炭素数１２以上（好ましくは炭素数１２〜２４、より好ましくは炭素数１６〜１８）の直鎖状又は分岐鎖状の飽和又は不飽和のアルキル鎖を有する、第一級脂肪族モノアルコール類、第二級脂肪族モノアルコール類、および第三級脂肪族モノアルコール類（有利には、直鎖状の飽和アルキル鎖を有する第一級モノアルコール類）、ならびに
炭素数１４以上の飽和モノ脂肪酸と炭素数６以下のアルコールとのエステル類（好ましくはモノエステル類およびジエステル類、有利にはモノアルコールによるモノエステル類およびエステル官能基間の距離が該エステル官能基の酸素側から数えて炭素原子４個以下であるポリオールによるジエステル類）、
から選択される、付加的な化合物、
を含む、シリンダー潤滑剤。
〔態様２１〕
態様１から２０のいずれか一態様に記載のシリンダー潤滑剤において、該シリンダー潤滑剤の１００℃での動粘度が、ＡＳＴＭ  Ｄ４４５規格に準拠した測定値で１２．５〜２６．１ｃＳｔである（好ましくは１６．３〜２１．９ｃＳｔである）、シリンダー潤滑剤。
〔態様２２〕
態様１から２１のいずれか一態様に記載のシリンダー潤滑剤の使用であって、総重量に対する硫黄含有量が１重量％未満である燃料油と、総重量に対する硫黄含有量が１〜３．５重量％である燃料油のいずれを使用する際にも、一種類で用いることのできるシリンダー潤滑剤としての使用。
〔態様２３〕
態様１から２１のいずれか一態様に記載のシリンダー潤滑剤の使用であって、総重量に対する硫黄含有量が３．５重量％以下となる任意の燃料油の燃焼時に、２ストローク船舶エンジンの腐食を防止するため、かつ／または、２ストローク船舶エンジンでの不溶性の金属塩堆積物の形成を抑制するための使用。
〔態様２４〕
ＢＡＳＴＭ  Ｄ−２８９６規格に準拠して測定される値で潤滑剤１グラムあたりの値として５０ｍｇＫＯＨ／ｇ以上のＢＮを有するシリンダー潤滑剤を製造するために用いられる添加剤濃縮物であって、
該濃縮物は、濃縮物１グラムあたりの値として１００〜４００ｍｇＫＯＨ／ｇのＢＮを有し、
該濃縮物は、
金属炭酸塩によって過塩基化された、アルカリ金属又はアルカリ土類金属に基づく少なくとも一種の過塩基性清浄剤と、
少なくとも一種の中性清浄剤と、
式（Ｉ）：Ｒ１−［ＮＲ２（ＣＨ２）３］３−ＮＨ２（式中、Ｒ１は、炭素数１４以上の直鎖状又は分岐鎖状の飽和又は不飽和のアルキル基であり、Ｒ２は、水素原子、あるいは、式：−（ＣＨ２）２ＯＨで表される基である。）で表され、アミン１グラムあたりの値として、ＡＳＴＭ  Ｄ−２８９６規格に準拠して測定される値で、１５０〜６００ｍｇＫＯＨ／ｇのＢＮを有する、少なくとも一種の脂肪族アミンと、
を含み、
該濃縮物中の前記肪族アミンの質量百分率は、該濃縮物に対し、ＡＳＴＭ  Ｄ−２８９６規格に準拠して測定される値で、濃縮物１グラムあたりの値として２０〜３００ｍｇＫＯＨ／ｇのＢＮを付与するように選択されている、添加剤濃縮物。